(57)【要約】      （修正有）【課題】  搬送性及び裏面汚れが改良された白色顔料を含有するプラスチック樹脂フィルムを支持体として有するハロゲン化銀カラー写真感光材料の処理方法を提供する。【解決手段】  支持体が白色顔料を含有するプラスチック樹脂フィルムである反射観賞用のハロゲン化銀カラー写真感光材料を、一定のサイズに断裁した後、発色現像工程、漂白定着工程または漂白工程及び定着工程、安定化工程またはリンス工程、及び乾燥工程から構成される処理工程を経て処理するハロゲン化銀カラー写真感光材料の処理方法であって、該発色現像工程で用いる発色現像液が、下記一般式〔Ｉ〕で表される化合物を含有することを特徴とするハロゲン化銀カラー写真感光材料の処理方法。2006267353.tif 000035【選択図】        なし【特許請求の範囲】
【請求項１】
支持体が白色顔料を含有するプラスチック樹脂フィルムである反射観賞用のハロゲン化銀カラー写真感光材料を、一定のサイズに断裁した後、発色現像工程、漂白定着工程または漂白工程及び定着工程、安定化工程またはリンス工程、及び乾燥工程から構成される処理工程を経て処理するハロゲン化銀カラー写真感光材料の処理方法であって、該発色現像工程で用いる発色現像液が、下記一般式〔Ｉ〕で表される化合物を含有することを特徴とするハロゲン化銀カラー写真感光材料の処理方法。
【化１】
2006267353.tif 000032
〔式中、Ｌはアルキレン基を表し、Ａはカルボキシル基、スルホ基、ホスホノ基、ホスフィン基、ヒドロキシル基、アミノ基、アンモニオ基、カルバモイル基、スルファモイル基、アルキルスルホニル基、水素原子、アルコキシル基、または−Ｏ−（Ｂ−Ｏ）n−Ｒ′を表し、Ｒ、Ｒ′は各々水素原子またはアルキル基を表す。Ｂはアルキレン基を表し、ｎは１〜４の整数を表す。〕
【請求項２】
前記プラスチック樹脂フィルムが、ポリエチレンテレフタレートであることを特徴とする請求項１記載のハロゲン化銀カラー写真感光材料の処理方法。
【請求項３】
前記ハロゲン化銀カラー写真感光材料を、１３０ｍｍ以下の送り幅で搬送して処理することを特徴とする請求項１または２に記載のハロゲン化銀カラー写真感光材料の処理方法。
【請求項４】
前記発色現像液が、下記一般式〔II〕〜〔Ｖ〕で表される化合物から選ばれる少なくとも１種を含むことを特徴とする請求項１〜３のいずれか１項に記載のハロゲン化銀カラー写真感光材料の処理方法。
【化２】
2006267353.tif 000033
〔式中、Ｒ1はアルキル基またはアルケニル基を表し、Ｒ2は水素原子、アルキル基またはヒドロキシアルキル基を表し、Ｒ3及びＲ4は独立に水素原子、水酸基、アルキル基または−ＣＯＯＭ4（Ｍ4は水素原子またはアルカリ金属原子を表す）を表し、Ｘは−ＣＯ−または−ＳＯ2−を表し、Ｙは−Ｏ−、−Ｓ−または−ＣＯＮＲ5−（Ｒ5は水素原子、アルキル基またはヒドロキシアルキル基を表す）を表し、Ｍ3は水素原子またはアルカリ金属原子を表し、ｋは０または１、ｍ１は０〜２の整数、ｎ１は１〜３の整数を表す。〕
一般式〔III〕
Ｒ6−（Ｏ）xＳＯ3Ｍ6
〔式中、Ｒ6は脂肪族基またはヘテロ環基を表し、ｘは０または１を表し、Ｍ6は水素原子またはカチオンを表す。〕
【化３】
2006267353.tif 000034
〔式中、Ｒ1は炭素原子数１ないし２のアルキル基、または水素原子を表し、Ｒ2は炭素原子数１ないし３のアルキル基、スルホ基、カルボキシル基、水酸基、または水素原子を表し、Ｒ3は水素原子または水酸基を表す。ｐは０〜２の整数、ｒは１〜３の整数を表す。Ａはベンゼン環の任意の位置の水素原子に置換されて良い。又、ｓは０〜５０、ｔは０または１の整数、ｕは２〜１５０の整数を表す。〕
一般式〔Ｖ〕
ＨＯ−（ＣＨ2ＣＨ2Ｏ）n−（ＣＨ2ＣＨ（ＣＨ3）Ｏ）m−Ｈ
〔式中、ｎは０〜２００の整数を表し、ｍは０〜５０の整数を表し、ｍとｎが同時に０になることはない。〕
【請求項５】
前記発色現像液の処理温度が、３８℃以上であることを特徴とする請求項１〜４のいずれか１項に記載のハロゲン化銀カラー写真感光材料の処理方法。
【発明の詳細な説明】
【技術分野】
【０００１】
本発明は、ハロゲン化銀カラー写真感光材料の処理方法に関し、詳しくは、白色顔料を含有するプラスチック樹脂フィルムを支持体として有するハロゲン化銀カラー写真感光材料の処理方法に関するものである。
【背景技術】
【０００２】
ハロゲン化銀カラー写真感光材料は、高感度で、高品位の画質が得られ、かつ画像形成方法の簡易性から、非常に広い分野で用いられている。
【０００３】
近年、反射鑑賞用のプリント材料としては、例えば、紙支持体の両面を樹脂層で被覆した支持体を用いた反射観賞用ハロゲン化銀カラー写真感光材料、いわゆる、一般用カラーペーパーの他に、白色顔料を含有したプラスチック樹脂フィルム、例えば、ポリエチレンテレフタレートフィルム（以下、ホワイトＰＥＴともいう）上にハロゲン化銀感光性層を設けた反射観賞用ハロゲン化銀カラー写真感光材料が使用されている。
【０００４】
上述のホワイトＰＥＴを用いた反射観賞用ハロゲン化銀カラー写真感光材料は、屋内や屋外のディスプレイ用として主に用いられているため、設置時の高い平面性を維持させるため、厚膜のポリエチレンテレフタレートフィルムが用いられている。その結果、ハロゲン化銀カラー写真感光材料としては、極めて腰が強く、高い剛性を持つことととなる。
【０００５】
この様なホワイトＰＥＴを用いた反射観賞用ハロゲン化銀カラー写真感光材料の処理を行う場合、大型の現像所での処理では、大型の自動現像機を用いて多量に処理するため、その現像方式は、ハロゲン化銀カラー写真感光材料をシート状にして断裁して搬送ローラにより搬送する「シート搬送方式」ではなく、ロール状のハロゲン化銀カラー写真感光材料を使用して、連続的に処理する「ロール搬送方式」であり、また大型の自動現像機を使用するため、処理槽間でハロゲン化銀カラー写真感光材料が方向変更するターン部の曲率半径は十分に大きいため、高い剛性を有するホワイトＰＥＴを用いた反射観賞用ハロゲン化銀カラー写真感光材料でも、搬送不良等を起こすことなく安定な搬送が可能となっている。
【０００６】
一方、近年の写真処理のサービス業界においては、ユーザーに対するサービス向上の一環として、また生産性向上の手段として、小型の自動現像機、いわゆるミニラボ等を用いて、例えば、ハロゲン化銀カラー写真感光材料の現像から乾燥までの処理速度が非常に短縮化された処理が普及している。
【０００７】
上記の小型の自動現像機では、処理量の少ないハロゲン化銀カラー写真感光材料は、ロール搬送方式による処理ではなく、シート搬送方式によりシート状で処理される場合が多い。この様な状況において、高い剛性を有するホワイトＰＥＴを用いた反射観賞用ハロゲン化銀カラー写真感光材料をシート搬送方式で処理すると、自動現像機自身が小型であるが故に、ターン部の曲率半径が極めて小さく、その結果、ターン部で引っ掛かったりして搬送不良を引き起こすという重大な課題を抱えている。
【０００８】
ハロゲン化銀カラー写真感光材料の搬送性改良に対し、自動現像機から改良する試みかなされている。
【０００９】
例えば、ローラ対の一方に永久磁石を内蔵させ、この永久磁石内蔵ローラを、処理液系外からの電場あるいは磁場により回転駆動し、このローラ対により感光材料を搬送することにより、処理路長の長い（処理時間の長い）カラー処理でも感光材料の搬送性が良好な感光材料の現像処理装置が開示されている（例えば、特許文献１参照。）。また、処理槽間の液外ターン部の曲率半径、処理槽の処理液浸漬部のパス長、搬送速度の関係を特定の範囲に規定することにより、搬送性、擦り傷、先端折れ、エッジ汚れを改良したペーパー用現像処理装置が開示されている（例えば、特許文献２、３参照。）。
【００１０】
しかしながら、現像処理装置が上述の様な小型化されたミニラボ等では、上記の様な装置面からの改良だけでは困難となり、特に、高い剛性を有するホワイトＰＥＴを用いた反射観賞用ハロゲン化銀カラー写真感光材料の処理には限界があり、早急な改良が求められている。
【００１１】
一方、ハロゲン化銀カラー写真感光材料の処理において、集中処理を行う大型現像所では、１日あたり２４時間近く処理を行うほどその処理量は多く、その結果、補充液の多量に投入されるため、処理液の更新率が高くなる。これに対し、ミニラボを用いた店頭処理においては、その稼働時間は６〜１２時間程度であり、間欠的にハロゲン化銀カラー写真感光材料の処理がなされている。このため、ミニラボを用いた処理では、処理間隔が広がると、搬送ローラ等にタール状の異物が付着し、その付着した異物がその後処理するハロゲン化銀カラー感光材料の裏面に付着し、搬送不良や裏面汚れを引き起こし易くなってきている。特に、高い平面性を維持するため前述の高い剛性を有するホワイトＰＥＴを用いた反射観賞用ハロゲン化銀カラー写真感光材料では、裏面に親水性コロイド層を塗設して表裏面間のカールバランスを調整している場合が多く、そのようなハロゲン化銀カラー写真感光材料では、搬送不良や裏面汚れがより顕著に発現することが判明し、早急な改良が求められている。
【特許文献１】特開平１１−１０９５８９号公報  （特許請求の範囲）
【特許文献２】特開平１１−２２３９１２号公報  （特許請求の範囲）
【特許文献３】特開平１１−２２３９１４号公報  （特許請求の範囲）
【発明の開示】
【発明が解決しようとする課題】
【００１２】
本発明は、上記課題に鑑みなされたものであり、その目的は、搬送性及び裏面汚れが改良された白色顔料を含有するプラスチック樹脂フィルムを支持体として有するハロゲン化銀カラー写真感光材料の処理方法を提供することにある。
【課題を解決するための手段】
【００１３】
本発明の上記目的は、以下の構成により達成される。
【００１４】
（請求項１）
支持体が白色顔料を含有するプラスチック樹脂フィルムである反射観賞用のハロゲン化銀カラー写真感光材料を、一定のサイズに断裁した後、発色現像工程、漂白定着工程または漂白工程及び定着工程、安定化工程またはリンス工程、及び乾燥工程から構成される処理工程を経て処理するハロゲン化銀カラー写真感光材料の処理方法であって、該発色現像工程で用いる発色現像液が、下記一般式〔Ｉ〕で表される化合物を含有することを特徴とするハロゲン化銀カラー写真感光材料の処理方法。
【００１５】
【化１】
2006267353.tif 000002
【００１６】
〔式中、Ｌはアルキレン基を表し、Ａはカルボキシル基、スルホ基、ホスホノ基、ホスフィン基、ヒドロキシル基、アミノ基、アンモニオ基、カルバモイル基、スルファモイル基、アルキルスルホニル基、水素原子、アルコキシル基、または−Ｏ−（Ｂ−Ｏ）n−Ｒ′を表し、Ｒ、Ｒ′は各々水素原子またはアルキル基を表す。Ｂはアルキレン基を表し、ｎは１〜４の整数を表す。〕
（請求項２）
前記プラスチック樹脂フィルムが、ポリエチレンテレフタレートであることを特徴とする請求項１記載のハロゲン化銀カラー写真感光材料の処理方法。
【００１７】
（請求項３）
前記ハロゲン化銀カラー写真感光材料を、１３０ｍｍ以下の送り幅で搬送して処理することを特徴とする請求項１または２に記載のハロゲン化銀カラー写真感光材料の処理方法。
【００１８】
（請求項４）
前記発色現像液が、下記一般式〔II〕〜〔Ｖ〕で表される化合物から選ばれる少なくとも１種を含むことを特徴とする請求項１〜３のいずれか１項に記載のハロゲン化銀カラー写真感光材料の処理方法。
【００１９】
【化２】
2006267353.tif 000003
【００２０】
〔式中、Ｒ1はアルキル基またはアルケニル基を表し、Ｒ2は水素原子、アルキル基またはヒドロキシアルキル基を表し、Ｒ3及びＲ4は独立に水素原子、水酸基、アルキル基または−ＣＯＯＭ4（Ｍ4は水素原子またはアルカリ金属原子を表す）を表し、Ｘは−ＣＯ−または−ＳＯ2−を表し、Ｙは−Ｏ−、−Ｓ−または−ＣＯＮＲ5−（Ｒ5は水素原子、アルキル基またはヒドロキシアルキル基を表す）を表し、Ｍ3は水素原子またはアルカリ金属原子を表し、ｋは０または１、ｍ１は０〜２の整数、ｎ１は１〜３の整数を表す。〕
一般式〔III〕
Ｒ6−（Ｏ）xＳＯ3Ｍ6
〔式中、Ｒ6は脂肪族基またはヘテロ環基を表し、ｘは０または１を表し、Ｍ6は水素原子またはカチオンを表す。〕
【００２１】
【化３】
2006267353.tif 000004
【００２２】
〔式中、Ｒ1は炭素原子数１ないし２のアルキル基、または水素原子を表し、Ｒ2は炭素原子数１ないし３のアルキル基、スルホ基、カルボキシル基、水酸基、または水素原子を表し、Ｒ3は水素原子または水酸基を表す。ｐは０〜２の整数、ｒは１〜３の整数を表す。Ａはベンゼン環の任意の位置の水素原子に置換されて良い。又、ｓは０〜５０、ｔは０または１の整数、ｕは２〜１５０の整数を表す。〕
一般式〔Ｖ〕
ＨＯ−（ＣＨ2ＣＨ2Ｏ）n−（ＣＨ2ＣＨ（ＣＨ3）Ｏ）m−Ｈ
〔式中、ｎは０〜２００の整数を表し、ｍは０〜５０の整数を表し、ｍとｎが同時に０になることはない。〕
（請求項５）
前記発色現像液の処理温度が、３８℃以上であることを特徴とする請求項１〜４のいずれか１項に記載のハロゲン化銀カラー写真感光材料の処理方法。
【発明の効果】
【００２３】
本発明によれば、搬送性及び裏面汚れが改良された白色顔料を含有するプラスチック樹脂フィルムを支持体として有するハロゲン化銀カラー写真感光材料の処理方法を提供することができる。
【発明を実施するための最良の形態】
【００２４】
以下、本発明を実施するための最良の形態について詳細に説明する。
【００２５】
本発明者は、上記課題に鑑み鋭意検討を行った結果、支持体が白色顔料を含有するプラスチック樹脂フィルムである反射観賞用のハロゲン化銀カラー写真感光材料を、一定のサイズに断裁した後、発色現像工程、漂白定着工程または漂白工程及び定着工程、安定化工程またはリンス工程、及び乾燥工程から構成される処理工程を経て処理するハロゲン化銀カラー写真感光材料の処理方法であって、該発色現像工程で用いる発色現像液が、前記一般式〔Ｉ〕で表される化合物を含有することを特徴とするハロゲン化銀カラー写真感光材料の処理方法により、搬送性及び裏面汚れが改良された白色顔料を含有するプラスチック樹脂フィルムを支持体として有するハロゲン化銀カラー写真感光材料の処理方法を実現できることを見出し、本発明に至った次第である。
【００２６】
以下、本発明の詳細について説明する。
【００２７】
はじめに、本発明のハロゲン化銀カラー写真感光材料の処理方法に適用しうる各処理液組成、処理条件、現像処理機について説明する。
【００２８】
本発明のハロゲン化銀カラー写真感光材料の処理方法（以下、単に処理方法ともいう）では、発色現像液を用いる発色現像工程、漂白定着液を用いる漂白定着工程または漂白液を用いる漂白工程及び定着液を用いる定着工程、安定化液を用いる安定化工程またはリンス液を用いるリンス工程、及び乾燥工程から構成される処理工程を用い、それぞれ補充用発色現像液、補充用漂白液、補充用定着液、あるいは補充用漂白定着液、補充用安定化液、補充用リンス液等を補充しながら連続的に現像処理することができる。
【００２９】
本発明の処理方法においては、上記発色現像工程で用いる発色現像液が前記一般式〔Ｉ〕で表される化合物を含有することを特徴とする。
【００３０】
発色現像液が本発明に係る前記一般式〔Ｉ〕で表される化合物を含有することにより、発色現像液の保恒性が飛躍的に向上し、処理量の少ない条件下でも発色現像主薬の酸化等を防止しタール等の異物の発生を抑制することにより、特に、バックコート層を有する白色顔料を含有するプラスチック樹脂フィルムである反射観賞用のハロゲン化銀カラー写真感光材料を処理した際の裏面汚れを効果的に防止することができる。
【００３１】
以下、本発明に係る一般式〔Ｉ〕で表される化合物について説明する。
【００３２】
上記一般式〔Ｉ〕において、Ｌは置換してもよいアルキレン基を表し、Ａはカルボキシル基、スルホ基、ホスホノ基、ホスフィン基、ヒドロキシル基、アミノ基、アンモニオ基、カルバモイル基、スルファモイル基、アルキルスルホニル基、水素原子、アルコキシル基、または−Ｏ−（Ｂ−Ｏ）ｎ−Ｒ′を表し、Ｒ、Ｒ′は各々水素原子またはアルキル基を表す。Ｂはアルキレン基を表し、ｎは１〜４の整数を表す。
【００３３】
上記一般式〔Ｉ〕において、Ｌで表されるアルキレン基は置換基を有するものを含み、炭素数１〜１０の直鎖または分岐鎖のアルキレン基が好ましく、炭素数１〜５が更に好ましい。具体的には、メチレン、エチレン、トリメチレン、プロピレン等の基が好ましい例として挙げられる。置換基としては、カルボキシル基、スルホ基、ホスホノ基、ホスフィン基、ヒドロキシル基、アンモニオ基などが挙げられ、カルボキシル基、スルホ基、ホスフィン基、ヒドロキシル基が好ましい例として挙げられる。Ａはカルボキシル基、スルホ基、ホスホノ基、ホスフィン酸基、ヒドロキシル基、アミノ基、アンモニオ基、カルバモイル基、スルファモイル基、アルキルスルホニル基またはアルコキシ基を表し、それぞれ置換基を有しても良い。特に、カルボキシル基、スルホ基、ヒドロキシル基、ホスホノ基、カルバモイル基が好ましい例として挙げられる。−Ｌ−Ａの例として、カルボキシメチル基、カルボキシエチル基、カルボキシプロピル基、スルホエチル基、スルホプロピル基、スルホブチル基、ホスホノメチル基、ホスホノエチル基、ヒドロキシエチル基を好ましい例として挙げることができ、カルボキシメチル基、カルボキシエチル基、スルホエチル基、スルホプロピル基、ホスホノメチル基、ホスホノエチル基が特に好ましい例として挙げることができる。Ｒがアルキル基である場合、アルキル基の炭素数は１〜１０が好ましく、特に炭素数１〜５が好ましい。更に置換基を有してもよく、好ましい置換基としては、カルボキシル基、スルホ基、ホスホノ基、ホスフィン酸基、ヒドロキシル基、アミノ基、アンモニオ基、カルバモイル基、スルファモイル基、アルキルスルホニル基、アルコキシル基、−Ｏ−（Ｂ−Ｏ）ｎ−Ｒ′等が挙げられる。なお、Ｂ及びＲ′は前記Ａの説明に記載のそれらと同義である。置換基は二つ以上あってもよい。Ｒとしては、水素原子、カルボキシメチル基、カルボキシエチル基、カルボキシプロピル基、スルホエチル基、スルホプロピル基、スルホブチル基、ホスホノメチル基、ホスホノエチル基、ヒドロキシエチル基が好ましい例として挙げることができ、水素原子、カルボキシメチル基、カルボキシエチル基、スルホエチル基、スルホプロピル基、ホスホノメチル基、ホスホノエチル基が特に好ましい例として挙げることができる。ＬとＲが連結して環を形成してもよい。
【００３４】
以下に、一般式〔Ｉ〕で表される化合物のうち、その代表的な化合物例を示すが、本発明はこれらの化合物に限定されるものではない。
【００３５】
【化４】
2006267353.tif 000005
【００３６】
【化５】
2006267353.tif 000006
【００３７】
【化６】
2006267353.tif 000007
【００３８】
【化７】
2006267353.tif 000008
【００３９】
本発明に係る前記一般式〔Ｉ〕で表される化合物は、発色現像処理液、発色現像液補充液に１×１０-3ｍｏｌ／Ｌ以上、１×１０-1ｍｏｌ／Ｌ以下で含有することが好ましい。
【００４０】
また、本発明に係る発色現像液においては、前記一般式〔Ｉ〕で表される化合物と共に、前記一般式〔II〕〜〔Ｖ〕で表される化合物から選ばれる少なくとも１種を含むことが、本発明の目的効果をより発揮できる観点から好ましい。
【００４１】
前記一般式〔II〕において、Ｒ1はアルキル基またはアルケニル基を表し、Ｒ2は水素原子、アルキル基またはヒドロキシアルキル基を表し、Ｒ3及びＲ4は独立に水素原子、水酸基、アルキル基または−ＣＯＯＭ4（Ｍ4は水素原子またはアルカリ金属原子を表す）を表し、Ｘは−ＣＯ−または−ＳＯ2−を表し、Ｙは−Ｏ−、−Ｓ−または−ＣＯＮＲ5−（Ｒ5は水素原子、アルキル基またはヒドロキシアルキル基を表す）を表し、Ｍ3は水素原子またはアルカリ金属原子を表し、ｋは０または１、ｍ１は０〜２の整数、ｎ１は１〜３の整数を表す。
【００４２】
上記一般式〔II〕において、Ｒ1は好ましくは炭素数５〜２０の直鎖または分岐のアルキル基またはアルケニル基であり、Ｒ2は好ましくは水素原子、炭素数１〜５の直鎖もしくは分岐アルキル基またはヒドロキシアルキル基である。
【００４３】
以下に、一般式〔II〕で表される化合物の具体的例を以下に示す。
【００４４】
【化８】
2006267353.tif 000009
【００４５】
【化９】
2006267353.tif 000010
【００４６】
【化１０】
2006267353.tif 000011
【００４７】
【化１１】
2006267353.tif 000012
【００４８】
上記例示した化合物の他に、例えば、特開昭６２−５６９６１号第４〜６頁記載の例示化合物〔II〕−１〜〔II〕−５５等も使用することが出来る。
【００４９】
上記例示化合物は、公知化合物、または、市販されており通常ルートで入手が可能である。
【００５０】
次いで、一般式〔III〕で表される化合物について説明する。
【００５１】
前記一般式〔III〕において、Ｒ6は脂肪族基またはヘテロ環基を表し、置換基を有してもよい。ｘは０または１を表し、Ｍ6は水素原子またはカチオンを表す。
【００５２】
上記一般式〔III〕において、Ｒ6で表される脂肪族基としては、アルキル基、アルケニル基、アルキニル基などがあり、アルキル基としては、例えばメチル、エチル、ｉ−プロピル、ブチル、ｔ−ブチル、ペンチル、シクロペンチル、ヘキシル、シクロヘキシル、オクチル、ドデシル等の各基が挙げられる。これらのアルキル基は、更にハロゲン原子（例えば、塩素、臭素、フッ素等のハロゲン原子）、アルコキシ基（例えば、メトキシ、エトキシ、１，１−ジメチルエトキシ、ヘキシルオキシ、ドデシルオキシ等の各基）、アリールオキシ基（例えば、フェノキシ、ナフチルオキシ等の各基）、アルコキシカルボニル基（例えば、メトキシカルボニル、エトキシカルボニル、ブトキシカルボニル、２−エチルヘキシルカルボニル等の各基）、アルケニル基（例えば、ビニル、アリル等の各基）、複素環基（例えば、２−ピリジル、３−ピリジル、４−ピリジル、モルホリル、ピペリジン、ピペラジル、ピリミジン、ピラゾリン、フリル等の各基）、アルキニル基（例えば、プロパルギル基等）、アミノ基（例えば、アミノ、Ｎ，Ｎ−ジメチルアミノ、アニリノ等の各基）、シアノ基、スルホアミド基（例えば、メチルスルホニルアミノ、エチルスルホニルアミノ、ブチルスルホニルアミノ、オクチルスルホニルアミノ、フェニルスルホニルアミノ等の各基）によって置換されてもよい。
【００５３】
アルケニル基としては、例えば、ビニル基、アリル基等が挙げられ、アルキニル基としては例えばプロパルギル基が挙げられる。
【００５４】
Ｒ6で表される複素環基としては、例えば、ピリジル基（２−ピリジル、３−ピリジル、４−ピリジル等の各基）、チアゾリル基、オキサゾリル基、イミダゾリル基、フリル基、チェニル基、ピロリル基、ピラジニル基、ピリミジニル基、ピリダジニル基、セレナゾリル基、スルホラニル基、ピペジリニル基、ピラゾリル基、テトラゾリル基等が挙げられる。
【００５５】
上記、アルケニル基、アルキニル基、複素環基は、いずれもＲ6で表されるアルキル基及びアルキル基の置換基、置換原子として示した基、原子と同様な基、原子によって置換することができる。
【００５６】
Ｍ6で表されるカチオンとしては、好ましくは金属イオンまたは有機カチオンである。金属イオンとしては、例えば、リチウムイオン、ナトリウムイオン、カリウムイオン等が挙げられ、有機カチオンとしては、例えば、アンモニウムイオン（例えば、アンモニウム、テトラメチルアンモニウム、テトラブチルアンモニウム等の各イオン）、ホスホニウムイオン（例えば、テトラフェニルホスホニウムイオン等）、グアニジルイオン等が挙げられる。
【００５７】
以下、一般式〔III〕で表される化合物の具体例を挙げるが、本発明はこれらに限定されるものではない。
【００５８】
III−１：ＣＨ3（ＣＨ2）5ＳＯ3Ｎａ
III−２：ＣＨ3（ＣＨ2）6ＳＯ3Ｎａ
III−３：ＣＨ3（ＣＨ2）7ＳＯ3Ｎａ
III−４：ＣＨ3（ＣＨ2）5ＯＳＯ3Ｎａ
III−５：ＣＨ3（ＣＨ2）6ＯＳＯ3Ｎａ
III−６：ＣＨ3（ＣＨ2）7ＯＳＯ3Ｎａ
III−７：ＣＨ3Ｏ（ＣＨ2）2ＳＯ3Ｎａ
【００５９】
【化１２】
2006267353.tif 000013
【００６０】
III−１１：ＣＨ3（ＣＨ2）5ＳＯ3Ｎａ
次いで、一般式〔IV〕で表される化合物について説明する。
【００６１】
前記一般式〔IV〕において、Ｒ1は炭素数１または２のアルキル基（例えば、メチル基、エチル基）または水素原子を表し、Ｒ2は直鎖または分岐の置換、未置換の炭素原子数１ないし３のアルキル基（例えば、メチル基、エチル基、プロピル基、（ｉ）プロピル基、ヒドロキシメチル基、スルホメチル基、ヒドロキシエチル基、スルホエチル基、ジスルホエチル基、ジヒドロキシエチル基、１−ヒドロキシプロピル基、２−ヒドロキシプロピル基、１−スルホプロピル基、２−スルホプロピル基、トリヒドロキシ（ｉ）プロピル基、１，２−ジスルホプロピル基）、スルホ基、カルボキシル基、水酸基及び水素原子を表し、Ｒ３は水素原子、または水酸基を表す。
【００６２】
ｐは０〜２の整数、ｒは１〜３の整数を表す。Ａはベンゼン環の任意の位置の水素原子に置換されて良い。又、ｓは０〜５０、ｔは０または１の整数、ｕは２〜１５０の整数を表す。
【００６３】
以下に、前記一般式〔IV〕で表される具体的化合物を示す。
【００６４】
【化１３】
2006267353.tif 000014
【００６５】
【化１４】
2006267353.tif 000015
【００６６】
【化１５】
2006267353.tif 000016
【００６７】
上記に示した具体的化合物の中でも、好ましくはIV−２、IV−３、IV−４、IV−５、IV−６、IV−９、IV−１３、IV−１７であり、更に好ましくはIV−２、IV−３、IV−４、IV−５である。
【００６８】
次いで、一般式〔Ｖ〕で表される化合物について説明する。
【００６９】
一般式〔Ｖ〕
ＨＯ−（ＣＨ2ＣＨ2Ｏ）n−（ＣＨ2ＣＨ（ＣＨ3）Ｏ）m−Ｈ
上記一般式〔Ｖ〕において、ｎは１００〜２００の整数を表し、ｍは１０〜５０の整数を表し、以下に具体的化合物を示すが、本発明はこれらの化合物に限定されるものではない。
【００７０】
Ｖ−１：ＨＯ−（ＣＨ2ＣＨ2Ｏ）150−（ＣＨ2ＣＨ（ＣＨ3）Ｏ）30−Ｈ
Ｖ−２：ＨＯ−（ＣＨ2ＣＨ2Ｏ）100−（ＣＨ2ＣＨ（ＣＨ3）Ｏ）10−Ｈ
Ｖ−３：ＨＯ−（ＣＨ2ＣＨ2Ｏ）100−（ＣＨ2ＣＨ（ＣＨ3）Ｏ）15−Ｈ
Ｖ−４：ＨＯ−（ＣＨ2ＣＨ2Ｏ）100−（ＣＨ2ＣＨ（ＣＨ3）Ｏ）20−Ｈ
Ｖ−５：ＨＯ−（ＣＨ2ＣＨ2Ｏ）150−（ＣＨ2ＣＨ（ＣＨ3）Ｏ）20−Ｈ
Ｖ−６：ＨＯ−（ＣＨ2ＣＨ2Ｏ）150−（ＣＨ2ＣＨ（ＣＨ3）Ｏ）40−Ｈ
Ｖ−７：ＨＯ−（ＣＨ2ＣＨ2Ｏ）200−（ＣＨ2ＣＨ（ＣＨ3）Ｏ）30−Ｈ
Ｖ−８：ＨＯ−（ＣＨ2ＣＨ2Ｏ）200−（ＣＨ2ＣＨ（ＣＨ3）Ｏ）40−Ｈ
Ｖ−９：ＨＯ−（ＣＨ2ＣＨ2Ｏ）200−（ＣＨ2ＣＨ（ＣＨ3）Ｏ）50−Ｈ
Ｖ−１０：ＨＯＣＨ2ＣＨ2ＯＨ
Ｖ−１１：ＨＯＣＨ2ＣＨ2ＯＣＨ2ＣＨ2ＯＨ
Ｖ−１２：ＨＯＣＨ2ＣＨ（ＣＨ3）ＯＨ
本発明において、上記一般式〔II〕〜〔Ｖ〕で表される化合物の添加量は、発色現像処理液及びその補充液ともに１リットルあたり０．０００１〜０．０６モルである。
【００７１】
次いで、本発明で用いられる発色現像液、漂白液、漂白定着液、定着液、安定化液、リンス液について説明する。
【００７２】
本発明に係る発色現像液に用いられる発色現像主薬として好ましい例は、公知の芳香族第１級アミン発色現像主薬、特にｐ−フェニレンジアミン誘導体であり、代表例を以下に示すがこれらに限定されるものではない。
【００７３】
１）Ｎ，Ｎ−ジエチル−ｐ−フェニレンジアミン
２）４−アミノ−３−メチル−Ｎ，Ｎ−ジエチルアニリン
３）４−アミノ−Ｎ−（β−ヒドロキシエチル）−Ｎ−メチルアニリン
４）４−アミノ−Ｎ−エチル−Ｎ−（β−ヒドロキシエチル）アニリン
５）４−アミノ−３−メチル−Ｎ−エチル−Ｎ−（β−ヒドロキシエチル）アニリン
６）４−アミノ−３−メチル−Ｎ−エチル−Ｎ−（３−ヒドロキシプロピル）アニリン
７）４−アミノ−３−メチル−Ｎ−エチル−Ｎ−（４−ヒドロキシブチル）アニリン
８）４−アミノ−３−メチル−Ｎ−エチル−Ｎ−（β−メタンスルホンアミドエチル）アニリン
９）４−アミノ−Ｎ，Ｎ−ジエチル−３−（β−ヒドロキシエチル）アニリン
１０）４−アミノ−３−メチル−Ｎ−エチル−Ｎ−（β−メトキシエチル）アニリン
１１）４−アミノ−３−メチル−Ｎ−（β−エトキシエチル）−Ｎ−エチルアニリン
１２）４−アミノ−３−メチル−Ｎ−（３−カルバモイルプロピル）−Ｎ−ｎ−プロピル−アニリン
１３）４−アミノ−Ｎ−（４−カルバモイルブチル）−Ｎ−ｎ−プロピル−３−メチルアニリン
１４）Ｎ−（４−アミノ−３−メチルフェニル）−３−ヒドロキシピロリジン
１５）Ｎ−（４−アミノ−３−メチルフェニル）−３−（ヒドロキンメチル）ピロリジン
１６）Ｎ−（４−アミノ−３−メチルフェニル）−３−ピロリジンカルボキサミド
上記ｐ−フェニレンジアミン誘導体のうち、特に好ましくは例示化合物５）、６）、７）、８）及び１２）であり、その中でも例示化合物５）と８）が好ましい。また、これらのｐ−フェニレンジアミン誘導体は、硫酸塩、塩酸塩、亜硫酸塩、ナフタレンジスルホン酸塩、ｐ−トルエンスルホン酸塩などの塩の形、或いは遊離塩基型（フリー体ともいう）である。上記芳香族第１級アミン現像主薬の使用液中の濃度は、現像液１Ｌ当たり２ｍｍｏｌ〜２００ｍｍｏｌが好ましく、より好ましくは６ｍｍｏｌ〜１００ｍｍｏｌであり、特に１０ｍｍｏｌ〜４０ｍｍｏｌが好ましい。
【００７４】
発色現像処理液には、有機保恒剤を添加してもよい。有機保恒剤とは、感光材料の処理液へ含ませることで、発色現像主薬の劣化速度を減じる有機化合物全般を指している。即ち、発色現像主薬の空気酸化などを防止する機能を有する有機化合物類であり、ヒドロキサム酸類、ヒドラジド類、フェノール類、α−ヒドロキシケトン類、α−アミノケトン類、糖類、モノアミン類、ジアミン類、ポリアミン類、四級アンモニウム塩類、ニトロキシラジカル類、アルコール類、オキシム類、ジアミド化合物類、縮環式アミン類などが特に有効な有機保恒剤である。これらは、特開昭６３−４２３５号、同６３−３０８４５号、同６３−２１６４７号、同６３−４４６５５号、同６３−５３５５１号、同６３−４３１４０号、同６３−５６６５４号、同６３−５８３４６号、同６３−４３１３８号、同６３−１４６０４１号、同６３−４４６５７号、同６３−４４６５６号、米国特許第３，６１５，５０３号、同２，４９４，９０３号、特開昭５２−１４３０２０号、特公昭４８３０４９６号などの各公報又は明細書に開示されている。
【００７５】
また、その他の有機保恒剤としては下記一般式（Ｙ）で表される化合物を含有させることもできる。
【００７６】
【化１６】
2006267353.tif 000017
【００７７】
上記一般式（Ｙ）において、Ｒ、Ｒ′は各々炭素原子数１〜６の飽和又は不飽和の脂肪族炭化水素を表わす。この場合、これらの炭化水素は、水酸基、カルボキシル基、スルホン基などで置換されていてもよい。また、カルボニル基等の２価の連結基を含んでもよい。ｎは４〜５０，０００の整数を表わす。ｓは０または１を表す。ｓが１をとる場合、Ａは
【００７８】
【化１７】
2006267353.tif 000018
【００７９】
を表す。Ｒ″はヒドロキシル基で置換されてもよい炭素数２〜８のアルキレン基またはアルカントリイル基を示し、アルキレン基の場合、ｑは０となり、アルカントリイル基の場合は１となる。ｑが１の場合、Ｂは一般式（Ｙ）で表されるポリマーを示し、一般式（Ｙ）は３次元構造となる。ｍは０〜３０の整数を示す。
【００８０】
ｓが０をとる一般式（Ｙ）で表される化合物、例えば、ポリ（Ｎ−ヒドロキシアルキレンイミン）は既知の方法により容易に合成することができる。代表的な例としては、「ジャーナル・オブ・ケミカル・ソサイアティ」（Ｊ．Ｃｈｅｍ．Ｓｏｃ．，），７５，１００９（１８９９），Ｊ．Ｃｈｅｍ．Ｓｏｃ．，１９６３，３１４４等に記載の過酸化水素水を用いた２級アミンの酸化方法により、ポリ（アルキレンイミン）を酸化して合成する方法が挙げられる。この方法により合成された粗ポリ（Ｎ−ヒドロキシアルキレンイミン）は写真特性に影響を与える成分を含まないため、精製することなく、そのまま発色現像液の組成物として使用することができる。また、「マクロモレキュルズ」（Ｍａｃｒｏｍｏｌｅｃｕｌｅｓ），２１，１９９５（１９８８）等に記載の反応と組み合わせて、ポリ（アルキレンイミン）の末端基である１級アミンを２級アミンとすることにより、更に性能の優れたポリ（Ｎ−ヒドロキシアルキレンイミン）を合成する方法も挙げられる。その他の方法としては、特開平３−２５９１４５号公報等に記載の方法を応用した、ヒドロキシルアミンとジハロゲン化アルキレンとの反応による合成方法等が挙げられる。以下、一般式（Ｙ）で表される化合物のうち、その代表的な化合物例を示すが、本発明はこれらの化合物に限定されるものではない。
【００８１】
【化１８】
2006267353.tif 000019
【００８２】
【化１９】
2006267353.tif 000020
【００８３】
また、その他の有機保恒剤として、特開昭５７−４４１４８号及び同５７−５３７４９号公報に記載の各種金属類、特開昭５９−１８０５８８号公報に記載のサリチル酸類、トリエタノールアミンやトリイソパノールアミンのような特開昭５４−３５３２号公報に記載のアルカノールアミン類、特開昭５６−９４３４９号公報に記載のポリエチレンイミン類、米国特許第３，７４６，５４４号明細書等に記載の芳香族ポリヒドロキシ化合物等を必要に応じて含有しても良い。上記有機保恒剤の発色現像組成物は１Ｌ当たり１×１０-3モル以上、１×１０-1モル以下で含有することが好ましい。また、発色現像液には、対象とするハロゲン化銀カラー写真感光材料の種類によって、少量の亜硫酸イオンを含んだり、あるいは実質的に含まない場合もあるが、本発明においては、亜硫酸イオンを少量含むことが好ましい。また、ヒドロキシルアミンを少量含有してもよい。ヒドロキシルアミン（通常、塩酸塩や硫酸塩の形で用いるが、以下塩の形は省略する）は、亜硫酸イオンと同様に現像液の保恒剤として作用するが、同時にヒドロキシルアミン自身の銀現像活性のために写真特性に影響することもあるので、この添加量も少量に留める必要がある。
【００８４】
また、発色現像液は、ベンゼンスルフィン酸、ｐ−トルエンスルフィン酸、ｍ−カルボキシベンゼンスルフィン酸等のアリールスルフィン酸を含有しても良い。
【００８５】
発色現像使用液のｐＨは９．０〜１３．５が好ましく、その補充液のｐＨは９．０〜１３．５が好ましい。このため、発色現像使用液及びその補充液には、そのｐＨ値を維持できるようにアルカリ剤、緩衝剤及び必要によっては酸を含有させることもできる。
【００８６】
上記ｐＨを保持するための緩衝剤としては、炭酸塩、リン酸塩、ホウ酸塩、四ホウ酸塩、ヒドロキシ安息香酸塩、グリシル塩、Ｎ，Ｎ−ジメチルグリシン塩、ロイシン塩、ノルロイシン塩、グアニン塩、３，４−ジヒドロキシフェニルアラニン塩、アラニン塩、アミノ酪酸塩、２−アミノ−２−メチル−１、３−プロバンジオール塩、バリン塩、プロリン塩、トリスヒドロキンアミノメタン塩、リシン塩などを用いることができる。特に炭酸塩、リン酸塩、四ホウ酸塩、ヒドロキシ安息香酸塩は、ｐＨ９．０以上の高ｐＨ領域での緩衝能に優れ、発色現像液に添加しても写真性能面への悪影響（カブリなど）がなく、安価であるといった点から、特に好ましい緩衝剤である。
【００８７】
上記緩衝剤の具体例としては、例えば、炭酸ナトリウム、炭酸カリウム、重炭酸ナトリウム、重炭酸カリウム、リン酸三ナトリウム、リン酸三カリウム、リン酸二ナトリウム、リン酸二カリウム、ホウ酸ナトリウム、ホウ酸カリウム、四ホウ酸ナトリウム（ホウ砂）、四ホウ酸カリウム、ｏ−ヒドロキシ安息香酸ナトリウム（サリチル酸ナトリウム）、ｏ−ヒドロキシ安息香酸カリウム、５−スルホ−２−ヒドロキシ安息香酸ナトリウム（５−スルホサリチル酸ナトリウム）、５−スルホ−２−ヒドロキシ安息香酸カリウム（５−スルホサリチル酸カリウム）などを挙げることができる。しかしながら本発明は、これらの化合物に限定されるものではない。
【００８８】
上記緩衝剤の添加量は、発色現像使用液及びその補充液ともに１リットルあたり０．０１〜２モルが好ましく、より好ましくは０．１〜０．５モルである。
【００８９】
発色現像処理液には、その他の発色現像液成分として、例えばカルシウムやマグネシウムの沈澱防止剤や、安定性向上剤でもある各種キレート剤を添加することもできる。例えば、ニトリロ三酢酸、ジエチレントリアミン五酢酸、エチレンジアミン四酢酸、Ｎ，Ｎ，Ｎ−トリメチレンホスホン酸、エチレンジアミン−Ｎ，Ｎ，Ｎ′，Ｎ′−テトラメチレンスルホン酸、トランスシロヘキサシジアミン四酢酸、１，２−ジアミノプロバン四酢酸、グリコールエーテルジアミン四酢酸、エチレンジアミンオルトヒドロキシフェニル酢酸、エチレンジアミンジ琥珀酸（ＳＳ体）、Ｎ−（２−カルボキシラートエチル）−Ｌ−アスパラギン酸、β−アラニンジ酢酸、２−ホスホノブタン−１，２，４−トリカルボン酸、１−ヒドロキシエチリデン−１，１−ジホスホン酸、Ｎ，Ｎ′−ビス（２−ヒドロキシベンジル）エチレンジアミン−Ｎ，Ｎ′−ジ酢酸、１，２−ジヒドロキシベンゼン−４，６−ジスルホン酸等が挙げられる。これらのキレート剤は必要に応じて２種以上併用しても良い。また、これらのキレート剤の量は、発色現像液中の金属イオンを封鎖するのに充分な量であれば良い。例えば、１Ｌ当り０．ｌｇ〜１０ｇ程度になるように添加する。
【００９０】
発色現像処理液には、必要により任意の現像促進剤を添加することもできる。現像促進剤としては、特公昭３７−１６０８８号、同３７−５９８７号、同３８−７８２６号、同４４−１２３８０号、同４５−９０１９号及び米国特許第３，８１３，２４７号等の各公報又は明細書に表されるネオエーテル系化合物、特開昭５２−４９８２９号及び同５０−１５５５４号公報に表されるｐ−フェニレンジアミン系化合物、特開昭５０−１３７７２６号、特公昭４４−３００７４号、特開昭５６−１５６８２６号及び同５２−４３４２９号公報等に表される４級アンモニウム塩類、米国特許第２，４９４，９０３号、同３，１２８，１８２号、同４，２３０，７９６号、同３，２５３，９１９号、特公昭４１−１１４３１号、米国特許第２，４８２，５４６号、同２，５９６，９２６号及び同３，５８２，３４６号等の各公報又は明細書に記載のアミン系化合物、特公昭３７−１６０８８号、同４２−２５２０１号、米国特許第３，１２８，１８３号、特公昭４１−１１４３１号、同４２−２３８８３号及び米国特許第３，５３２，５０１号等の各公報又は明細書に表されるポリアルキレンオキサイド、その他１−フェニル−３−ビラゾリトン類又はイミダゾール類を必要に応じて添加することができる。それらの濃度は、発色現像液及びその補充液ともに１Ｌあたり０．００１〜０．２ｍｏｌ、好ましくは０．０１〜０．０５ｍｏｌになるように組成物中の添加量が決められる。
【００９１】
発色現像処理液には、必要に応じて、前記ハロゲンイオンのほかに、任意のカブリ防止剤を添加できる。有機カブリ防止剤としては、例えば、ベンゾトリアゾール、６−ニトロベンズイミダゾール、５−ニトロイソインダゾール、５−メチルベンゾトリアゾール、５−ニトロベンゾトリアゾール、５−クロロ−ベンゾトリアゾール、２−チアゾリル−ベンズイミダゾール、２−チアゾリルメチル−ベンズイミダゾール、インダゾール、ヒドロキシアザインドリジン、アデニンの如き含窒素ヘテロ環化合物を代表例として挙げられる。
【００９２】
発色現像処理液には、必要に応じてアルキルスルホン酸、アリールスルホン酸、脂肪族カルボン酸、芳香族カルボン酸等の各種界面活性剤を添加しても良い。それらの濃度は、発色現像液及びその補充液ともに１Ｌあたり０．０００１〜０．２ｍｏｌが好ましく、より好ましくは０．００１〜０．０５ｍｏｌになるように添加量が決められる。
【００９３】
発色現像処理液には、必要に応じて、蛍光増白剤を使用することができる。蛍光増白剤としては、ビス（トリアジニルアミノ）スチルベンスルホン酸化合物が好ましい。ビス（トリアジニルアミノ）スチルベンスルホン酸化合物としては、公知もしくは市販の物を用いることができる。公知のビス（トリアジニルアミノ）スチルベンスルホン酸化合物としては、例えば、特開平６−３２９９３６号、同７−１４０６２５号、同１０−１４０８４９号などの公報に記載の化合物が好ましい。市販の化合物としては、例えば、「染色ノート」第９版（色染社），１６５〜１６８頁に記載されており、その中に記載されている化合物の中でも、Ｂｌａｎｋｏｐｈｏｒ  ＢＳＵ  ｌｉｑ．及びＨａｋｋｏｌＢＲＫが好ましい。
【００９４】
また、その他のビス（トリアジニルアミノ）スチルベンスルホン酸化合物としては、特開２００１−２８１８２３号公報の段落番号〔００３８〕〜同〔００４９〕に記載の化合物Ｉ−１〜Ｉ−４８及び特開２００１−２８１８２３号公報の段落番号〔００５０〕〜同〔００５２〕に記載の化合物II−１〜II−１６を挙げることもできる。上記蛍光増白剤の添加量としては、発色現像使用液及びその補充液ともに１リットルあたり０．１ミリモル〜０．１モルが好ましい。
【００９５】
また、発色現像処理液中に臭素イオンが含まれる場合は、１．０×１０-3モル／リットル以下であることが好ましい。発色現像処理液では、塩素イオンを３．５×１０-2〜１．５×１０-1モル／リットル含有することが好ましいが、塩素イオンは、通常現像の副生成物として現像液に放出されるので補充液には添加不要のこともある。
【００９６】
また、本発明において、処理方法で適用されうる発色現像の処理温度は、通常、３０〜５５℃の範囲であるが、本発明の目的効果をいかんなく発揮できる観点からは３８℃以上であることが好ましく、より好ましくは３８〜５５℃であり、更に好ましくは３８〜４５℃である。発色現像処理時間は、５〜９０秒が好ましく、より好ましくは、１５〜６０秒である。補充量は少ない方が好ましいが、感光材料１ｍ2当たり１５〜６００ｍｌが適当であり、好ましくは１５〜１２０ｍｌ、特に好ましくは３０〜６０ｍｌである。なお、本発明でいう発色現像時間とは、感光材料が発色現像液中に入ってから次の処理工程（例えば、漂白定着液）に入るまでの時間をいう。自動現像機などで処理される場合には、感光材料が発色現像液中に浸漬されている時間（いわゆる液中時間）と、感光材料が発色現像液を離れ、次の処理工程に向けて液外を搬送される時間（いわゆるクロスオーバータイム）との両者の合計を発色現像時間という。また、クロスオーバータイムは１０秒以下が好ましく、より好ましくは５秒以下である。
【００９７】
本発明において、漂白液あるいは漂白定着液において用いられる漂白剤としては、いかなる漂白剤も用いることができるが、特に鉄（III）の有機錯塩（例えば、エチレンジアミン四酢酸、ジエチレントリアミン五酢酸、ニトリロ三酢酸、シクロヘキサンジアミン四酢酸、エチレンジアミンジコハク酸などのアミノポリカルボン酸類、アミノポリホスホン酸、ホスホノカルボン酸および有機ホスホン酸などの錯塩）もしくはクエン酸、酒石酸、リンゴ酸などの有機酸；過硫酸塩；過酸化水素などが好ましい。
【００９８】
これらのうち、エチレンジアミン四酢酸、ジエチレントリアミン五酢酸、シクロヘキサンジアミン四酢酸、１，３−ジアミノプロパン四酢酸、エチレンジアミンジコハク酸、メチルイミノ二酢酸の鉄（III）錯塩が漂白力が高いことから好ましい。これらの第二鉄イオン錯塩は錯塩の形で使用してもよいし、第二鉄塩、例えば硫酸第二鉄、塩化第二鉄、硝酸第二鉄、硫酸第二鉄アンモニウム、燐酸第二鉄などとアミノポリカルボン酸、アミノポリホスホン酸、ホスホノカルボン酸などのキレート剤とを用いて溶液中で第二鉄イオン錯塩を形成させてもよい。また、キレート剤を第二鉄イオン錯塩を形成する以上に過剰に用いてもよい。鉄錯体のなかでもアミノポリカルボン酸鉄錯体が好ましく、その添加量は０．０１〜１．０モル／リットルが好ましく、より好ましくは０．０５〜０．５０モル／リットルである。
【００９９】
漂白液あるいは漂白定着液には、漂白促進剤として種々の化合物を用いることができる。例えば、リサーチディスクロージャー１７１２９号（１９７８年７月号）に記載のメルカプト基またはジスルフイド結合を有する化合物や、チオ尿素系化合物、あるいは沃素、臭素イオン等のハロゲン化物が漂白力に優れる点で好ましい。
【０１００】
その他、漂白液あるいは漂白定着液には、臭化物（例えば、臭化カリウム）または塩化物（例えば、塩化カリウム）または沃化物（例えば、沃化アンモニウム）等の再ハロゲン化剤を含むことができる。必要に応じ硼砂、メタ硼酸ナトリウム、酢酸、酢酸ナトリウム、炭酸ナトリウム、炭酸カリウム、クエン酸、クエン酸ナトリウム、酒石酸、コハク酸、マレイン酸、グリコール酸などのｐＨ緩衝能を有する一種類以上の無機酸、有機酸およびこれらのアルカリ金属またはアンモニウム塩または、硝酸アンモニウム、グアニジンなどの腐蝕防止剤などを添加することができる。
【０１０１】
定着液あるいは漂白定着液に使用される定着剤は、公知の定着剤、即ちチオ硫酸ナトリウム、チオ硫酸アンモニウムなどのチオ硫酸塩；チオシアン酸ナトリウム、チオシアン酸アンモニウムなどのチオシアン酸塩；エチレンビスチオグリコール酸、３，６−ジチア−１，８−オクタンジオールなどのチオエーテル化合物およびチオ尿素類などの水溶性のハロゲン化銀溶解剤であり、これらを一種あるいは二種以上混合して使用することができる。本発明においては、チオ硫酸特にチオ硫酸アンモニウム塩の使用が好ましい。１リットルあたりの定着剤の量は、０．１〜５．０モルが好ましく、更に好ましくは０．３〜２．０モルの範囲である。漂白定着液または定着液のｐＨ領域は、３〜１０が好ましく、更には５〜９が特に好ましい。
【０１０２】
また、漂白液、定着液、漂白定着液には、その他各種の蛍光増白剤や消泡剤あるいは界面活性剤、ポリビニルピロリドン、メタノール等の有機溶媒を含有させることができる。
【０１０３】
漂白液、定着液、漂白定着液は、保恒剤として亜硫酸塩、例えば、亜硫酸ナトリウム、亜硫酸カリウム、亜硫酸アンモニウム、重亜硫酸カリウム、重亜硫酸ナトリウム、メタ重亜硫酸ナトリウム、メタ重亜硫酸カリウム、メタ重亜硫酸アンモニウム等などの添加が一般的であるが、その他、アスコルビン酸や、カルボニル重亜硫酸付加物、あるいは、カルボニル化合物等を添加してもよい。
【０１０４】
更には緩衝剤、蛍光増白剤、キレート剤、消泡剤、防カビ剤等を必要に応じて添加してもよい。また、漂白液、定着液、漂白定着液のアンモニウムカチオン濃度は作業性の点からは全カチオンに対して５０ｍｏｌ％以下であること好ましいが、処理性の点からはアンモニウムカチオン濃度が５０ｍｏｌ％以上であること好ましい。
【０１０５】
また、本発明の処理方法に適用されうる漂白定着工程に要する時間は、９０秒以下であることが好ましく、より好ましくは４５秒以下である。ここでいう漂白定着工程に要する時間とは、該工程が複数槽を有する場合は、第１槽に感光材料が浸漬してから最終槽を出るまでの時間を指し、１槽の場合は、例えば後続するリンスまたは安定化液へ感光材料が浸漬するまでの時間を指し、その間のクロスオーバータイムを含むものとする。クロスオーバータイムは１０秒以下が好ましく、より好ましくは５秒以下である。また。漂白定着液の温度は２０〜７０℃が好ましく、望ましくは２５〜５０℃である。また、漂白定着液の補充量は２００ｍｌ／ｍ2以下が好ましく、より好ましくは２０ｍｌ／ｍ2〜１００ｍｌ／ｍ2である。
【０１０６】
漂白処理液の補充量は、２００ｍｌ／ｍ2以下が好ましく、より好ましくは５０ｍｌ／ｍ2〜２００ｍｌ／ｍ2である。また、漂白工程の処理時間の合計は、１５秒〜９０秒であることが好ましい。ここでいう漂白工程に要する時間とは、該工程が複数槽を有する場合は、第１槽に感光材料が浸漬してから最終槽を出るまでの時間を指し、１槽の場合は、例えば後続するリンスまたは安定化液へ感光材料が浸漬するまでの時間を指し、その間のクロスオーバータイムを含むものとする。クロスオーバータイムは１０秒以下が好ましく、より好ましくは５秒以下である。また、処理温度は２５℃〜５０℃であることが好ましい。定着処理液の補充量は、６００ｍｌ／ｍ2以下が好ましく、より好ましくは２０ｍｌ／ｍ2〜５００ｍｌ／ｍ2である。また、定着工程の処理時間の合計は、１５秒〜９０秒であることが好ましい。ここでいう定着工程に要する時間とは、該工程が複数槽を有する場合は、第１槽に感光材料が浸漬してから最終槽を出るまでの時間を指し、１槽の場合は、例えば後続するリンスまたは安定化液へ感光材料が浸漬するまでの時間を指し、その間のクロスオーバータイムを含むものとする。クロスオーバータイムは１０秒以下が好ましく、より好ましくは５秒以下である。また、処理温度は２５℃〜５０℃であることが好ましい。
【０１０７】
次に、リンス工程または安定化工程及びそこで用いる処理液について説明する。
【０１０８】
安定化工程で用いるリンスまたは安定化液には、キレート剤（例えば、エチレンジアミン４酢酸、ジエチレントリアミン５酢酸、１−ヒドロキシエチリデン−１，１−ジホスホン酸等）、緩衝剤（例えば、炭酸カリウム、硼酸塩、酢酸塩、リン酸塩等）、防黴剤（例えば、ディアサイド７０２（米国ディアボーン社製）、ｐ−クロロ−ｍ−クレゾール、ベンゾイソチアゾリン−３−オン等）、蛍光増白剤（例えば、トリアジニルスチルベン系化合物等）、酸化防止剤（例えば、アスコルビン酸塩等）、水溶性金属塩（例えば、亜鉛塩、マグネシウム塩等）等、通常安定化液に含有せしめる成分を適宜用いることができる。
【０１０９】
更にリンスまたは安定化液には、液保存性の点からｐ−トルエンスルフィン酸、ｍ−カルボキシベンゼンスルフィン酸などのアリ−ルスルフィン酸などを含有させてもよく、亜硫酸塩、重亜硫酸塩またはメタ重亜硫酸塩も含有させることが好ましい。亜硫酸イオンを放出するものであれば、有機物、無機物いかなるものでもよいが、好ましくは無機塩である。好ましい具体的化合物としては、亜硫酸ナトリウム、亜硫酸カリウム、亜硫酸アンモニウム、重亜硫酸アンモニウム、重亜硫酸カリウム、重亜硫酸ナトリウム、メタ重亜硫酸ナトリウム、メタ重亜硫酸カリウム、メタ重亜硫酸アンモニウム等が挙げられる。これらの塩は安定化液中に少なくとも１×１０-3モル／Ｌ以上になるような量が添加されることが好ましく、更に好ましくは５×１０-3モル／Ｌ〜５×１０-2モル／Ｌになるようなに添加されることである。
【０１１０】
安定化工程またはリンス工程の好ましいｐＨは４〜１０が好ましく、更に好ましくは５〜８である。
【０１１１】
安定化工程またはリンス工程の温度は、処理するハロゲン化銀カラー写真感光材料の用途・特性等で種々設定し得るが、一般には１５〜４５℃が好ましく、より好ましくは２０〜４０℃である。時間は任意に設定できるが短い方が処理時間の低減の見地から望ましい。好ましくは５秒〜２分３０秒であり、更に好ましくは１０秒〜１分であるが、ハロゲン化銀カラー写真感光材料がカラーペーパーである場合には、安定化処理工程に要する時間が８〜２６秒であることが好ましい。
【０１１２】
ここでいう安定化工程またはリンス工程に要する時間とは、該工程が１槽の場合は、例えば、後続する乾燥工程へ感光材料が搬送されるまでの時間を指し、複数槽で構成される場合は、第１槽に感光材料が浸漬してから最終槽を出るまでの時間を指し、その間のクロスオーバータイムを含むものとする。クロスオーバータイムとは、安定化工程またはリンス工程が１槽である場合には、ハロゲン化銀カラー写真感光材料が安定化液またはリンス液から出てから、次工程である乾燥工程に入るまでの時間を指し、また、安定化工程またはリンス工程が複数槽から構成されている場合には、前方槽の液から排出されたハロゲン化銀カラー写真感光材料が、次槽液中に侵入するまでの液外時間の合計時間と、最終槽の液を出てから、次工程である乾燥工程に入るまでの時間とを合算した時間を指す。安定化工程またはリンス工程での各槽間の液外時間、及び最終槽の液を出てから次工程である乾燥工程に入るまでの時間は、全てが等しい時間であっても、あるいはそれぞれが異なった時間で設定されていても良い。本発明では、各クロスオーバータイムが各工程の処理時間に占める比率をもって、クロスオーバータイム比率とする。
【０１１３】
本発明に係る安定化工程またはリンス工程において、好ましいクロスオーバータイム比率は１２％〜２０％である。
【０１１４】
補充量は、少ない方がランニングコスト、排出量減、取扱い性等の観点で好ましいが、具体的な好ましい補充量は、ハロゲン化銀カラー写真感光材料、単位面積あたり前浴からの持込み量の０．５〜５０倍が好ましく、より好ましくは３倍〜４０倍である。またはハロゲン化銀カラー写真感光材料１ｍ2当たり１リットル以下が好ましく、より好ましくは５００ｍｌ以下である。また補充は連続的に行っても間欠的に行ってもよい。
【０１１５】
本発明の処理方法においては、安定化液またはリンスを用いた安定化工程またはリンス工程の構成としては、１槽で構成されていても、あるいは２槽以上で構成されていても良いが、好ましくは２槽以上で構成された多段向流方式を用いることが好ましい。
【０１１６】
多段向流方式とは、複数に分割された安定化槽またはリンス槽において、感光材料の搬送方向の下流から上流にかけて安定化液が多段の各分割安定化槽にオーバーフローしながらハロゲン化銀写真感光材料の搬送路に沿って流れ、安定化処理またはリンス処理がなされる方式である。
【０１１７】
次いで、本発明に使用可能な乾燥工程について説明する。
【０１１８】
本発明の処理方法に適用される乾燥工程における乾燥温度は５０℃以上が好ましく、特に、７５℃以上において本発明の効果がより発揮される点でより好ましく、更に好ましくは７５〜８５℃である。また、乾燥時間は２０秒〜２分が好ましく、特に４０秒〜８０秒が好ましい。更に、迅速な現像処理を行うために乾燥時間を短くする手段として、感光材料側の手段としては、ゼラチンなどの親水性バインダーを減量することで膜への水分の持込み量を減じることでの改善が可能である。また、乾燥工程への持込み水分量を減量する観点から、最終槽から搬出された直後に、スクイズローラーや布などで水を吸収することで乾燥を早めることも可能である。乾燥機側からの改善手段としては、当然のことではあるが、温度を高くすることや乾燥風を強くすることなどで乾燥を早めることが可能である。更に、特開平３−１５７６５０号公報に記載されているように、乾燥風の感光材料への送風角度の調整や、排出風の除去方法によっても乾燥を早めることができる。
【０１１９】
本発明の処理方法においては、自動現像機を用いて処理を行なうことが好ましい。
【０１２０】
以下、本発明に好ましく用いられる自動現像機について説明する。
【０１２１】
図１は、自動現像機とハロゲン化銀カラー写真感光材料への焼付機とが一体になったカラーペーパー用自動現像機の一例を示す全体構成図である。
【０１２２】
図１において、ハロゲン化銀カラー写真感光材料用の自動現像機ＡＰの写真焼付機Ｂの左下部には、未露光のハロゲン化銀カラー写真感光材料をロール状に収納したマガジンＭがセットされる。マガジンから引き出されたハロゲン化銀カラー写真感光材料ｐは、送りローラＲ１及びカッター部Ｃｔを介して所定のサイズに切断され、シート状のハロゲン化銀カラー写真感光材料ｐとなる。このシート状のハロゲン化銀カラー写真感光材料ｐは、ベルト搬送手段Ｂｅによって搬送され、露光部Ｅにおいて光源およびレンズＬにより、原画Ｏの画像を露光される。露光されたシート状のハロゲン化銀カラー写真感光材料ｐはさらに複数対の送りローラＲ２、Ｒ３、Ｒ４により搬送され、自現機ＡＰ内に導入される。自現機ＡＰでは、シート状のハロゲン化銀カラー写真感光材料ｐは、処理液槽であるそれぞれ発色現像槽１Ａ、漂白定着槽１Ｂ、安定化槽１Ｃ、１Ｄ、１Ｅ内（実質的に３槽構成の処理液槽１）をローラ搬送手段（参照記号ナシ）により順次搬送され、それぞれ、発色現像処理、漂白定着処理、安定化処理がなされる。前記各処理がなされたシート状印画紙ｐは、乾燥部６において乾燥されて機外に排出される。上記発色現像槽１Ａ、漂白定着槽１Ｂ、安定化槽１Ｅの各処理液槽には、溶解槽２Ａ、２Ｂ、２Ｅ、循環槽２Ｃ、２Ｄ及び固体処理剤を供給する固体処理剤供給装置３Ａ、３Ｂ、３Ｅが設けてある。４は発色現像槽１Ａ、安定化槽１Ｅに補充水を供給する補充水タンクである。
【０１２３】
本発明の処理方法では、本発明に係る白色顔料を含有するプラスチック樹脂フィルムである反射観賞用のハロゲン化銀カラー写真感光材料を上記の様な自動現像機を用いてシート搬送方式により処理を行う際には、ハロゲン化銀カラー写真感光材料のサイズとして１３０ｍｍ以下の送り幅で搬送するときに、本発明の目的効果である優れた搬送性を実現することができ、好ましくは７０ｍｍ以上、１３０ｍｍ以下の送り幅であるときに、より顕著に発揮される。
【０１２４】
本発明に係る自動現像機は、搬送の線速度が１００ｍｍ／秒以下であることが好ましく、より好ましくは２７．８ｍｍ／秒〜８０ｍｍ／秒、特に好ましくは２７．８ｍｍ／秒〜５０ｍｍ／秒である。
【０１２５】
カラーペーパー用自動現像機の搬送では、カラーペーパーを最終サイズにカットしてから現像処理を行う方式（シート型搬送方式）と、ロール状のハロゲン化銀カラー写真感光材料で現像処理し、処理後に最終サイズにカットする方式（シネ型搬送方式）とがある。シネ型搬送方式は、画像間に２ｍｍ程度の感光材料の無駄が発生するため、シート型搬送方式が好ましい。
【０１２６】
本発明に係る各処理液では、処理槽及び補充液槽で、液が空気と接触する面積（開口面積）はできるだけ小さい方が好ましい。例えば、開口面積（ｃｍ2）を槽中の液体槽（ｃｍ3）で割った値を開口率とすると、開口率は０．０８（ｃｍ-1）以下が好ましく、更に好ましくは０．０１（ｃｍ-1）以下である。
【０１２７】
また、空気と接触する面積を小さくする為に、処理槽及び補充槽では液面に浮かぶ固体または液体の空気非接触手段を設けることが好ましい。具体的には、プラスチック製の浮きなどを液面に浮かべる方法や、処理液と混ざらず、また化学反応を起こさない液体で覆うことが好ましい。液体の例としては、流動パラフィン、液状飽和炭化水素などを用いることができる。
【０１２８】
本発明においては、感光材料を搬送する際に前槽の処理液が次槽へ混入することを防止するために、混入防止板を取り付けたクロスオーバーラックの構造が好ましい。本発明に係る各処理液には、処理液の蒸発分に相当する水を供給する、いわゆる蒸発補正を行うことが好ましく、特に、発色現像液や漂白定着液に適用することが好ましい。
【０１２９】
このような水の補充を行う具体的方法としては、特に制限はないが、中でも特開平１−２５４９５９号や同１−２５４９６０号公報に記載の漂白定着槽とは別のモニター水槽を設置し、モニター水槽内の水の蒸発量を求め、この水の蒸発量から漂白定着槽における水の蒸発量を算出し、この蒸発量に比例して漂白定着槽に水を補充する方法や液レベルセンサーやオーバーフローセンサーを用いた蒸発補正方法が好ましい。最も好ましい蒸発補正方法は、蒸発分に相当する水を予想して加えるもので、日本発明協会公開技報９４−４９９２５号１頁の右欄２６行目〜同３頁左欄２８行目に記載されているように自動現像機の運転時間、停止時間及び温調時間の情報に基づいて予め求められた係数により計算された加水量を添加するものである。また、蒸発量を減少させる工夫も必要であり、開口面積を少なくしたり、排気ファンの風量を調節することが要求される。例えば、カラー現像液の好ましい開口率は前記した通りであるが、他の処理液においても同様に開口面積を低下させることが好ましい。
【０１３０】
蒸発量を減少させる手段として、特開平６−１１０１７１号記載の「処理槽の上部空間の湿度を８０％ＲＨ以上に保持する」ことが特に好ましく、上記公報の図１、２に記載の蒸発防止ラック及びローラー自動洗浄機構を有することが特に好ましい。温調時の結露防止のために排気ファンが通常取付けられているが、好ましい排気量としては毎分０．１ｍ3〜１ｍ3であり、特に好ましくは、０．２〜０．４ｍ2である。ハロゲン化銀カラー写真感光材料の乾燥条件も処理液の蒸発に影響する。乾燥方式としては、セラミック温風ヒーターを用いるのが好ましく、供給風量としては毎分４〜２０ｍ3が好ましく、特に６〜１０ｍ3が好ましい。セラミック温風ヒーターの加熱防止用サーモスタットは、伝熱によって動作させる方式が好ましく、取付け位置は、放熱フィンや伝熱部を通じて風下または風上に取り付けるのが好ましい。
【０１３１】
以上で述べた自動現像機の処理槽には、必要に応じて、ヒーター、温度センサー、液面センサー、循環ポンプ、フィルター、スクイジー、窒素攪拌装置、エアー攪拌装置等を設けてもよい。
【０１３２】
本発明の処理方法においては、発色現像工程、漂白定着工程または漂白工程及び定着工程、安定化工程またはリンス工程のそれぞれの処理槽にポンプを取り付けて液の循環経路を設けることは、液の活性度を維持し液温調の効率を上げるために有効な手段である。本発明に於いては、各工程における処理液の循環量が５０〜３００ｍｌ／ｍｉｎであることが、本発明の効果がより一層発揮される観点から好ましい。
【０１３３】
通常、処理使用液の補充に際しては補充ポンプが用いられるが、ベローズ式の補充ポンプが好ましい。また、補充方式としては、直接処理槽に処理液濃縮組成物を添加するとともに、希釈率に見合った水を処理槽に直接加えても良く、また補充タンク内で処理液濃縮組成物を溶解・希釈して補充液として補充しても良く、また補充タンク内で自動調製装置を用いて処理液濃縮組成物を自動的に溶解・希釈して補充液として補充しても良い。また、補充精度を向上させる方法としては、ポンプ停止時の逆流を防止するため、補充ノズルへの送液チューブの径を細くしておくことが有効である。好ましい内径としては１〜８ｍｍ、特に好ましい内径として２〜５ｍｍである。
【０１３４】
自動現像機には種々の部品材料が用いられ、好ましい材料を以下に記載する。
【０１３５】
処理槽及び温調槽等のタンク材質は、変性ＰＰＯ（変性ポリフェニレンオキサイド）、変性ＰＰＥ（変性ポリフェニレンエーテル）樹脂が好ましい。変性ＰＰＯは、日本ジーイープラスチック社製「ノリル」、変性ＰＰＥは、旭化成工業製「ザイロン」、三菱瓦斯化学製「ユピエース」等が挙げられる。また、これらの材質は、処理ラック、クロスオーバー等の処理液に接触する可能性のある部位に適している。
【０１３６】
処理部のローラー材質は、ＰＶＣ（ポリ塩化ビニル）やＰＰ（ポリプロピレン）、ＰＥ（ポリエチレン）、ＴＰＸ（ポリメチルペンテン）等の樹脂が適している。また、これらの材質は、その他の処理液接触部にも使用することが可能である。尚、ＰＥ樹脂はブロー形成による補充タンクの材質にも好ましい。
【０１３７】
処理部、ギヤ、スプロケット、軸受などの材質には、ＰＡ（ポリアミド）、ＰＢＴ（ポリブチレンテレフタレート）、ＵＨＭＰＥ（超高分子量ポリエチレン）、ＰＰＳ（ポリフェニレンサルファイド）、ＬＣＰ（全芳香族ポリエステル樹脂、液晶ポリマー）等の樹脂が適している。
【０１３８】
ＰＡ樹脂は、６６ナイロンや１２ナイロン、６ナイロン等のポリアミド樹脂で、ガラス繊維や炭素繊維等を含有したものは、処理液による膨潤に対して強く、使用可能である。
【０１３９】
また、ＭＣナイロンの様な高分子量品やコンプレッション形成品は、繊維強化なしでも使用することが可能である。ＵＨＭＰＥ樹脂は、未強化品が適しており、三井石油化学（株）製「リューブマ」、「ハイゼックス・ミリオン」、作新工業（株）製「ニューライト」、  旭化成工業（株）製「サンファイン」等が適している。分子量は、好ましくは１００万以上、より好ましくは１００万〜５００万である。ＰＰＳ樹脂は、ガラス繊維や炭素繊維強化のものが好ましい。ＬＣＰ樹脂は、ＩＣＩジャパン（株）製「ビクトレックス」、住友化学（株）製「エコノール」、日本石油（株）製「ザイダー」、ポリプラスチック（株）製「ベクトラ」などが含まれる。特に、搬送ベルトの材質としては、特開平４−１５１６５６号記載の超高強力ポリエチレン繊維やポリフッ化ビニリデン樹脂が好ましい。スクイズローラー等の軟質材料としては、発泡塩化ビニル樹脂や発泡シリコン樹脂、発泡ウレタン樹脂が適している。発泡ウレタン樹脂としては東洋ポリマー（株）製「ルビセル」が挙げられる。配管の継手やアジテーションジェットパイプの継手、シール材などのゴム材質としては、ＥＰＤＭゴム、シリコンゴム、バイトンゴムなどが好ましい。本発明に使用される処理液濃縮組成物は、各工程用の処理液濃縮組成物を個別に製品形態とするほかに、一組にまとめたカートリッジ形態で用いても良い。また、その場合はカートリッジを一括して装着できる装置を自動現像機が有していることが好ましい。
【０１４０】
次いで、本発明に係る反射観賞用ハロゲン化銀カラー写真感光材料について説明する。
【０１４１】
本発明に係るハロゲン化銀カラー写真感光材料においては、支持体として、白色顔料を含有するプラスチック樹脂フィルムを用いる。
【０１４２】
本発明において、支持体を構成するプラスチック樹脂フィルムを形成するポリマーとしては、ポリエステル（例えば、ポリエチレンテレフタレート）、ビニルアルコール、塩化ビニル、弗素化ビニル、酢酸ビニル等のホモポリマー及びコポリマー、酢酸セルロース、アクリロニトリル、アクリル酸アルキルエステル、メタクリル酸アルキルエステル、メタクリロニトリル、アルキルビニルエステル、アルキルビニルエーテル、ポリアミド等のホモポリマー及びコポリマー等を挙げることができる。
【０１４３】
これらのポリマーのうち特に好ましいものは、ポリエステル樹脂である。ここでいうポリエステル樹脂とは、ポリエステルのみからなる熱可塑性樹脂はもちろんのこと、主成分であるポリエステルの樹脂特性を実用的に変動させない範囲において他のポリマー、添加剤等を加えたものも包含される。
【０１４４】
ポリエステル樹脂としては、芳香族ジカルボン酸としてはテレフタル酸のほか、イソフタル酸、２，６−ナフタレンジカルボン酸などと、これらの低級アルキルエステル（無水物、低級アルキルエステル等のエステル形成可能な誘導体）を使用することができる。グリコールとしてはエチレングリコール、プロピレングリコール、ブタンジオール、ネオペンチルグリコール、１，４−シクロヘキサンジメタノール、ジエチレングリコール、ｐ−キシリレングリコールなどがある。本発明においては、支持体としてはテレフタル酸とエチレングリコールの反応により得られたポリエチレンテレフタレート（ＰＥＴともいう）であることが好ましい。
【０１４５】
主成分がポリエチレンテレフタレートであるとは、ポリエチレンテレフタレートの繰返し単位が８０モル％以上の共重合体、あるいはブレンドされている場合は、ポリエチレンテレフタレートを８０質量％以上含有していることをいう。
【０１４６】
ＰＥＴフィルムは、水を浸透せず、平滑性に優れ、引張強度、引裂き強度等の機械的特性に優れ、熱収縮等の寸法安定性に優れ、更に現像処理時の耐薬品性に優れている。
【０１４７】
本発明のプラスチック樹脂フィルム支持体では、反射性を持たせるため白色顔料を含有する。
【０１４８】
白色顔料としては、無機及び／又は有機の白色顔料を用いることができ、好ましくは無機の白色顔料であり、具体的には硫酸バリウム等のアルカリ土類金属の硫酸塩、炭酸カルシウム等のアルカリ土類金属の炭酸塩、微粉珪酸、合成珪酸塩のシリカ類、珪酸カルシウム、アルミナ、アルミナ水和物、酸化チタン、酸化亜鉛、タルク、クレイ等が挙げられる。白色顔料は好ましくは硫酸バリウム、炭酸カルシウム、酸化チタンである。
【０１４９】
白色顔料をプラスチック樹脂フィルム支持体に含有する場合、白色顔料はプラスチック樹脂フィルムを形成するポリマーの質量に対し５〜５０質量％の範囲で存在させるのが好ましい。
【０１５０】
白色度としては、例えば、ＪＩＳ  Ｚ−８７２２、Ｚ−８７３０に定められた方法に従って測定される値（Ｌ*ａ*ｂ*）であるが、これに準ずればＬ*が８０％以上が好ましく、更に好ましくはＬ*が９０％以上であり、ａ*は−１．０〜＋１．０、ｂ*は−２．０〜−５．０の範囲のものが好ましい。
【０１５１】
本発明に係る白色顔料を含有するプラスチック樹脂フィルム上には、ハロゲン化銀カラー写真感光材料の各種構成層が設けられる。
【０１５２】
以下、本発明に係るハロゲン化銀カラー写真感光材料の主要構成要素について説明する。
【０１５３】
本発明に係るハロゲン化銀カラー写真感光材料は、主に、白色顔料を含有するプラスチック樹脂フィルム上に、感光性ハロゲン化銀乳剤層、例えば、イエロー色素形成カプラー含有青感光性ハロゲン化銀乳剤層、マゼンタ色素形成カプラー含有緑感光性含有ハロゲン化銀乳剤層、シアン色素形成カプラー含有赤感光性ハロゲン化銀乳剤層と、非感光性親水性コロイド層のそれぞれ少なくとも一層ずつからなる写真構成層を有することが好ましい。イエロー色素形成カプラーを含有するハロゲン化銀乳剤層はイエロー発色層として、マゼンタ色素形成カプラーを含有するハロゲン化銀乳剤層はマゼンタ発色層として、及びシアン色素形成カプラーを含有するハロゲン化銀乳剤層はシアン発色層として機能する。イエロー発色層、マゼンタ発色層及びシアン発色層に各々含有されるハロゲン化銀乳剤は、相互に異なる波長領域の光（例えば、青色領域、緑色領域及び赤色領域の光）に対して、感光性を有しているのが好ましい。ハロゲン化銀カラー写真感光材料は、イエロー発色層、マゼンタ発色層及びシアン発色層以外にも、所望により後述する非感光性親水性コロイド層として、アンチハレーション層、中間層及び着色層を有していてもよい。
【０１５４】
以下に、本発明に係るハロゲン化銀カラー写真感光材料の構成要素の一例が、下記のリサーチ・ディスクロージャー（以下、ＲＤと略す。）にその詳細が記載されており、参考にすることができる。
【０１５５】
ハロゲン化銀乳剤は、例えば、リサーチ・ディスクロージャー（以下、ＲＤと略す。）Ｎｏ．１７６４３、２２〜２３頁（１９７９年１２月）の「１．乳剤製造法（Ｅｍｕｌｓｉｏｎ  ｐｒｅｐａｒａｔｉｏｎ  ａｎｄ  ｔｙｐｅｓ）」、及びＲＤＮｏ．１８７１６、６４８頁、グラキデ著「写真の物理と化学」ポールモンテル社刊（Ｐ．Ｇｌｋｉｄｅｓ，Ｃｈｉｍｉｅ  ｅｔ  Ｐｈｙｓｉｑｕｅ  Ｐｈｏｔｏｇｒａｐｈｉｑｕｅ，Ｐａｕｌ  Ｍｏｎｔｅｌ，１９６７）、ダフィン著「写真乳剤化学」、フォーカルプレス社刊（Ｇ．Ｆ．Ｄａｕｆｆｉｎ，Ｐｈｏｔｏｇｒａｐｈｉｃ  Ｅｍｕｌｓｉｏｎ  Ｃｈｅｍｉｓｔｒｙ  Ｆｏｃａｌ  Ｐｒｅｓｓ  １９６６）、ゼリクマン等著「写真乳剤の製造と塗布」、フォーカルプレス社刊（Ｖ．Ｌ．Ｚｅｌｉｋｍａｎ  ｅｔａｌ，Ｍａｋｉｎｇ  ａｎｄ  ｃｏａｔｉｎｇ  Ｐｈｏｔｏｇｒａｐｈｉｃ  Ｅｍｕｌｓｉｏｎ，Ｆｏｃａｌ  Ｐｒｅｓｓ  １９６４）などに記載された方法を用いて調製することができる。乳剤は、米国特許３，５７４，６２８号、同３，６６５，３９４号及び英国特許１，４１３，７４８号などに記載された単分散乳剤も好ましい。
【０１５６】
ハロゲン化銀乳剤には物理熟成、化学熟成及び分光増感を行うことができる。このような工程で使用される添加剤は、ＲＤＮｏ．１７６４３、ＲＤＮｏ．１８７１６及びＲＤＮｏ．３０８１１９（それぞれ、以下、ＲＤ１７６４３、ＲＤ１８７１６及びＲＤ３０８１１９と略す。）に記載されている。下記にその記載箇所を示す。なお、下記に記載の各数値は、記載されている頁を表す。
〔項目〕  〔ＲＤ３０８１１９の頁〕  〔ＲＤ１７６４３〕〔ＲＤ１８７１６〕
化学増感剤    ９９６  III−Ａ項          ２３            ６４８
分光増感剤    ９９６  IV−Ａ−Ａ、
Ｂ、Ｃ、Ｄ、    ２３〜２４    ６４８〜６４９
Ｈ、Ｉ、Ｊ項
強色増感剤    ９９６  IV−Ａ−Ｅ、Ｊ項
２３〜２４    ６４８〜６４９
カブリ防止剤  ９９８  VI              ２４〜２５        ６４９
安定剤        ９９８  VI              ２４〜２５        ６４９
本発明のハロゲン化銀カラー写真感光材料に使用できる公知の写真用添加剤も、上記ＲＤに記載されている。以下に関連のある記載箇所を示す。
〔項目〕    〔ＲＤ３０８１１９の頁〕〔ＲＤ１７６４３〕〔ＲＤ１８７１６〕
色濁り防止剤    １００２VII−Ｉ項         ２５          ６５０
色素画像安定剤  １００１VII−Ｊ項         ２５
増白剤            ９９８Ｖ                ２４
紫外線吸収剤    １００３VIII−Ｉ項、
XIII−Ｃ項        ２５〜２６
光吸収剤        １００３VIII              ２５〜２６
光散乱剤        １００３VIII
フィルター染料  １００３VIII              ２５〜２６
バインダー      １００３IX                ２６              ６５１
スタチック防止剤１００６XIII              ２７              ６５０
硬膜剤          １００４Ｘ                ２６              ６５１
可塑剤          １００６XII               ２７              ６５０
潤滑剤          １００６XII               ２７              ６５０
活性剤・塗布助剤１００５XI                ２６〜２７        ６５０
マット剤        １００７XVI
現像剤（ハロゲン化銀カラー写真感光材料に含有）
１００１XXＢ項
本発明に係る感光性層には、種々のカプラーを使用することが出来、その具体例は、上記ＲＤに記載されている。以下に関連のある記載箇所を示す。
【０１５７】
〔項目〕              〔ＲＤ３０８１１９の頁〕  〔ＲＤ１７６４３〕
イエローカプラー          １００１VII−Ｄ項        VIIＣ〜Ｇ項
マゼンタカプラー          １００１VII−Ｄ項        VIIＣ〜Ｇ項
シアンカプラー            １００１VII−Ｄ項        VIIＣ〜Ｇ項
カラードカプラー          １００２VII−Ｇ項        VIIＧ項
ＤＩＲカプラー            １００１VII−Ｆ項        VIIＦ項
ＢＡＲカプラー            １００２VII−Ｆ項
その他の有用残基放出      １００１VII−Ｆ項
カプラー
アルカリ可溶カプラー      １００１VII−Ｅ項
上記各添加剤は、ＲＤ３０８１１９XIVに記載されている分散法などにより、添加することが出来る。
【０１５８】
本発明に係るハロゲン化銀カラー写真感光材料には、前述ＲＤ３０８１１９VII−Ｋ項に記載されているフィルター層や中間層等の補助層を設けることも出来る。
【０１５９】
本発明に係るハロゲン化銀カラー写真感光材料は、前述ＲＤ３０８１１９VII−Ｋ項に記載されている順層、逆層、ユニット構成等の様々な層構成をとることが出来る。
【実施例】
【０１６０】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１６１】
実施例１
《ハロゲン化銀カラー写真感光材料の作製》
支持体として、硫酸バリウムを４．０ｇ／ｍ2を含有する厚さ１７５μｍのポリエチレンテレフタレートからなる白色ポリエステル反射支持体を用い、この両面にゼラチン下引層を設けた後、表１、表２に示す構成の各構成層を塗設し、反射観賞用のハロゲン化銀カラー写真感光材料である試料１０１を作製した。
【０１６２】
上記試料１０１の作製において、硬膜剤として（Ｈ−１）、（Ｈ−２）を添加した。塗布助剤としては、界面活性剤（ＳＵ−２）、（ＳＵ−３）を添加し、表面張力を調整した。又各層にＦ−１を全量が０．０４ｇ／ｍ2となるように添加した。
【０１６３】
【表１】
2006267353.tif 000021
【０１６４】
【表２】
2006267353.tif 000022
【０１６５】
なお、表１、表２に記載の各添加剤の詳細は、以下の通りである。
【０１６６】
ＳＵ−１：トリ−ｉ−プロピルナフタレンスルホン酸ナトリウム
ＳＵ−２：スルホ琥珀酸ジ（２−エチルヘキシル）・ナトリウム
ＳＵ−３：スルホ琥珀酸ジ（２，２，３，３，４，４，５，５，−オクタフル  オロペンチル）・ナトリウム
ＤＢＰ：ジブチルフタレート
ＤＮＰ：ジノニルフタレート
ＤＯＰ：ジオクチルフタレート
ＤＩＤＰ：ジ−ｉ−デシルフタレート
Ｈ−１：テトラキス（ビニルスルホニルメチル）メタン
Ｈ−２：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ〔（１，１−ジメチル−４−ヘキシルオキシカルボニル）ブチル〕ハイドロキノン
画像安定剤Ａ：ｐ−ｔ−オクチルフェノール
画像安定剤Ｂ：ポリ（ｔ−ブチルアクリルアミド）
【０１６７】
【化２０】
2006267353.tif 000023
【０１６８】
【化２１】
2006267353.tif 000024
【０１６９】
【化２２】
2006267353.tif 000025
【０１７０】
【化２３】
2006267353.tif 000026
【０１７１】
【化２４】
2006267353.tif 000027
【０１７２】
（ハロゲン化銀乳剤の調製）
〈青感性ハロゲン化銀乳剤の調製〉
平均粒径０．７１μｍ、粒径分布の変動係数０．０７、塩化銀含有率９９．５モル％の単分散立方体乳剤であるＥＭＰ−１を、常法に従い調製した。次に、平均粒径０．６４μｍ、粒径分布の変動係数０．０７、塩化銀含有率９９．５モル％の単分散立方体乳剤であるＥＭＰ−１Ｂを、常法に従い調製した。
【０１７３】
上記ＥＭＰ−１に対し、下記化合物を用い、感度−カブリの関係が最適になる様に化学増感を行った。また、ＥＭＰ−１Ｂに対しても同様に感度−カブリの関係が最適になる様に化学増感した後、増感されたＥＭＰ−１とＥＭＰ−１Ｂを銀量で１：１の比率で混合し、青感性ハロゲン化銀乳剤（Ｅｍ−Ｂ）を調製した。
【０１７４】
チオ硫酸ナトリウム                                    ０．８ｍｇ／モルＡｇＸ
塩化金酸                                              ０．５ｍｇ／モルＡｇＸ
安定剤：ＳＴＡＢ−１                              ３×１０-4モル／モルＡｇＸ
安定剤：ＳＴＡＢ−２                              ３×１０-4モル／モルＡｇＸ
安定剤：ＳＴＡＢ−３                              ３×１０-4モル／モルＡｇＸ
増感色素：ＢＳ−１                                ４×１０-4モル／モルＡｇＸ
増感色素：ＢＳ−２                                １×１０-4モル／モルＡｇＸ
〈緑感性ハロゲン化銀乳剤の調製〉
平均粒径０．４０μｍ、変動係数０．０８、塩化銀含有率９９．５％の単分散立方体乳剤であるＥＭＰ−２を、常法に従い調製した。次に平均粒径０．５０μｍ、変動係数０．０８、塩化銀含有率９９．５％の単分散立方体乳剤であるＥＭＰ−２Ｂを、常法に従い調製した。
【０１７５】
上記ＥＭＰ−２に対し、下記化合物を用い、感度−カブリの関係が最適になる様に化学増感を行った。またＥＭＰ−２Ｂに対しても同様に、感度−カブリの関係が最適になる様に化学増感した後、増感されたＥＭＰ−２とＥＭＰ−２Ｂを銀量で１：１の比率で混合し、緑感性ハロゲン化銀乳剤（Ｅｍ−Ｇ）を調製した。
【０１７６】
チオ硫酸ナトリウム                                    １．５ｍｇ／モルＡｇＸ
塩化金酸                                              １．０ｍｇ／モルＡｇＸ
安定剤：ＳＴＡＢ−１                              ３×１０-4モル／モルＡｇＸ
安定剤：ＳＴＡＢ−２                              ３×１０-4モル／モルＡｇＸ
安定剤：ＳＴＡＢ−３                              ３×１０-4モル／モルＡｇＸ
増感色素：ＧＳ−１                                ４×１０-4モル／モルＡｇＸ
〈赤感性ハロゲン化銀乳剤の調製〉
平均粒径０．４０μｍ、変動係数０．０８、塩化銀含有率９９．５％の単分散立方体乳剤であるＥＭＰ−３を、常法に従い調製した。また平均粒径０．３８μｍ、変動係数０．０８、塩化銀含有率９９．５％の単分散立方体乳剤であるＥＭＰ−３Ｂを、常法に従い調製した。
【０１７７】
上記ＥＭＰ−３に対し、下記化合物を用い、感度−カブリの関係が最適になる様に化学増感を行った。またＥＭＰ−３Ｂに対しても同様に、感度−カブリの関係が最適になる様に化学増感した後、増感されたＥＭＰ−３とＥＭＰ−３Ｂを銀量で１：１の比率で混合し、赤感性ハロゲン化銀乳剤（Ｅｍ−Ｒ）を調製した。
【０１７８】
チオ硫酸ナトリウム                                    １．８ｍｇ／モルＡｇＸ
塩化金酸                                              ２．０ｍｇ／モルＡｇＸ
安定剤：ＳＴＡＢ−１                              ３×１０-4モル／モルＡｇＸ
安定剤：ＳＴＡＢ−２                              ３×１０-4モル／モルＡｇＸ
安定剤：ＳＴＡＢ−３                              ３×１０-4モル／モルＡｇＸ
増感色素：ＲＳ−１                                １×１０-4モル／モルＡｇＸ
増感色素：ＲＳ−２                                １×１０-4モル／モルＡｇＸ
上記各ハロゲン化銀乳剤の調製に使用した各化合物の詳細は、以下の通りである。
【０１７９】
ＳＴＡＢ−１：１−（３−アセトアミドフェニル）−５−メルカプトテトラゾール
ＳＴＡＢ−２：１−フェニル−５−メルカプトテトラゾール
ＳＴＡＢ−３：１−（４−エトキシフェニル）−５−メルカプトテトラゾール
また赤感光性ハロゲン化銀乳剤には、ＳＳ−１をハロゲン化銀１モル当り２．０×１０-3モル添加した。
【０１８０】
【化２５】
2006267353.tif 000028
【０１８１】
《処理液の調製》
発色現像液、漂白定着液及び安定化液のタンク液及び補充液を、下記のようにして調製した。
【０１８２】
〔発色現像液：１Ｌ当たり〕
タンク液            補充液
ジエチレングリコール                            ８０．０ｇ          １１０ｇ
ｐ−トルエンスルホン酸ナトリウム                  ９．１ｇ        １３．０ｇ
塩化カリウム                                      ５．０ｇ          ７．０ｇ
４−アミノ−３−メチル−Ｎ−エチル−Ｎ−（β−メタンスルホンアミドエチル）アニリン硫酸                                          １０．５ｇ        １５．０ｇ
表３に記載の化合物                            表３の記載量      表３の記載量
炭酸カリウム                                    ３０．０ｇ        ３０．０ｇ
ジエチレントリアミン五酢酸五ナトリウム            ６．０ｇ          ８．６ｇ
ｐＨ                                            １０．０２          １０．６
水を加えて１Ｌとし、ｐＨは水酸化カリウムまたは５０％硫酸を用いて調整した。
【０１８３】
なお、表３に略称で記載した各化合物の詳細は、以下の通りである。
【０１８４】
ＨＡＳ：ヒドロキシルアミン硫酸塩
ＤＥＨＡ：ジエチルヒドロキシルアミン
例示化合物Ｉ−２７：ジナトリウム−Ｎ，Ｎ−ビス（スルホナートエチル）ヒドロキシルアミン
例示化合物Ｉ−１５：ジナトリウム−Ｎ，Ｎ−ビス（カルボネートエチル）ヒドロキシルアミン
〔漂白定着液：１Ｌ当たり〕
タンク液            補充液
エチレンジアミン４酢酸第２鉄アンモニウム      ０．１５モル      ０．２０モル
チオ硫酸ナトリウム                            ０．５４モル      ０．７２モル
亜硫酸アンモニウム                            ０．１５モル      ０．２０モル
コハク酸                                        ２０．０ｇ        ２７．０ｇ
イミダゾール                                      ５．０ｇ          ９．５ｇ
ｐＨ                                                ５．８            ５．４
水を加えて１Ｌとし、ｐＨは水酸化アンモニウムまたは５０％硫酸を用いて調整した。
【０１８５】
〔安定化液：１Ｌ当たり〕
タンク液＝補充液
１−ヒドロキシエチリデン−１，１−ジホスホン酸３ナトリウム          ３．０ｇ
エチレンジアミン四酢酸                                              １．５ｇ
ｏ−フェニルフェノール                                              ０．１ｇ
亜硫酸ナトリウム                                                    ０．５ｇ
ｐＨ                                                                  ７．０
水を加えて１Ｌとし、ｐＨは水酸化カリウムまたは５０％硫酸を用いて調整した。
【０１８６】
《露光及び現像処理》
上記作製した試料１０１を２Ｌサイズ（１２７×１７８ｍｍ）に断裁し、標準的なデーライトシーンを撮影し、現像処理したカラーネガフィルムを介して、タングステンランプを用いた下記プリンターによりにより露光を行った後、下記の現像処理条件により、現像処理を行った。
【０１８７】
コニカミノルタフォトイメージング社製のプリンタープロセッサーＮＰＳ−８０８Ｇｏｌｄを使用した。なお、２Ｌサイズの試料は１７８ｍｍを送り巾としてカット搬送により露光、現像処理を行った。
【０１８８】
各上記各処理液は、標準的なデーライトシーンを撮影し、現像処理したカラーネガフィルムを介して露光を行ったコニカミノルタＱＡペーパー  センチュリア  フォー  デジタル（コニカミノルタフォトイメージング社製）を用いて、下記の補充量条件に従って１Ｒに達するまで１日当たり０．２Ｒ相当の処理量でランニング処理を行って収斂液１〜７を調製した。尚、本発明でいう１Ｒ（ラウンド）とは、発色現像補充液のトータル補充量がタンク容量の１倍量となることを意味する。
【０１８９】
（処理条件）
処理工程      処理温度      処理時間      タンク容量          補充量
（℃）        （秒）          （Ｌ）        （ｍｌ／ｍ2）
発色現像      ４０．０        ２２          １５．５          １２５
漂白定着      ３９．０        ２２          １５．２          ２００
安定化−１    ３９．０        ２２          １５．０
安定化−２    ３９．０        ２２          １５．０
安定化−３    ３９．０        ２２          １５．０          ２４８
乾燥         ６０〜８５     １８０
安定化工程は、安定化−３→安定化−２→安定化−１への多段向流方式とした。
【０１９０】
《ハロゲン化銀カラー写真感光材料の評価》
上記の方法に従って得た収斂液１〜７をそれぞれ用いて、前記作製した２Ｌ判サイズの試料を処理して、処理試料１−１〜１−７を作製し、下記の方法に従って裏面汚れ耐性の評価を行った。
【０１９１】
〔裏面汚れ耐性の評価〕
上記現像処理した各試料の裏面側（画像形成層を有する面とは反対側の面）への異物等の付着状況を目視観察し、下記の基準に従って裏面汚れ耐性を評価した。
【０１９２】
◎：裏面への汚れの付着が全く認められない
○：裏面にうっすらと汚れの付着は認められるが、実用上許容される品質である
△：裏面に汚れが認められ、実用上も美観を損ね、実用上問題となる品質である
×：裏面への汚れが明らかに認められ、実用に耐えない品質である
以上により得られた結果を、表３に示す。
【０１９３】
【表３】
2006267353.tif 000029
【０１９４】
表３に記載の結果より明らかな様に、本発明に係る一般式〔Ｉ〕で表される化合物を含む発色現像液で連続処理を行った後、２Ｌ判サイズの白色顔料を含有するプラスチック樹脂フィルムを有する試料を処理した本発明は、比較例に対し、裏面への処理汚れの付着が低減していることが分かる。
【０１９５】
実施例２
《現像処理》
実施例１で調製した収斂液２（ＤＥＨＡ添加：比較例）及び収斂液３（例示化合物Ｉ−２７）を用いて、実施例１で作製した試料を、表４に記載のサイズ（Ｅ判、Ｌ判、２Ｌ判、六切判）に断裁し、かつ処理時の搬送方向（送り幅）を表４とした以外は同様にして、それぞれ１０００枚ずつ処理を行って、処理試料２−１〜２−１４を作製した。
【０１９６】
《搬送性の評価》
上記各１０００枚の処理において、自動現像機の搬送過程で引っ掛かり等により、搬送不良が発生した回数を計測し、下記の基準に従って搬送性の評価を行った。
【０１９７】
◎：搬送不良の発生はなく、１０００枚の処理が問題なく行えた
○：搬送不良が発生した枚数が、１枚以上、３枚以下である
△：搬送不良が発生した枚数が、４枚以上、１０枚以下である
×：搬送不良が発生した枚数が、１１枚以上、２０枚以下である
××：搬送不良が発生した枚数が、２１枚以上である
以上により得られた結果を、表４に示す。
【０１９８】
【表４】
2006267353.tif 000030
【０１９９】
表４に記載の結果より明らかな様に、収斂液２を用いた処理では、送り幅が１２７ｍｍ以下になると搬送不良が顕著に発生し、実用に耐えないことが分かる、これに対し、本発明の収斂液３を用いた処理では、送り幅が１２７ｍｍ以下となっても安定して搬送することができることが分かる。
【０２００】
実施例３
《発色現像液の調製》
実施例１で調製した発色現像液タンク液３、発色現像液補充液３の調製において、発色現像液タンク液及び発色現像液補充液に一般式〔II〕〜〔Ｖ〕で表される化合物を、それぞれ表５に記載の量添加した以外は同様にして、発色現像液（発色現像液タンク液及び発色現像液補充液）９〜１６を調製した。
【０２０１】
《ランニング処理》
実施例１に記載の現像処理において、発色現像液として上記調製した発色現像液９〜１６を用いた以外は同様にして現像処理を行って、処理試料３−１〜３−９を作製した。
【０２０２】
ランニング処理は、実施例１で作製した試料１０１を１２７ｍｍ幅、長さ２００ｍのロール状に断裁し、Ｌ判にカット、露光して、それぞれ計１，０００枚の処理を行った。
【０２０３】
次いで、各処理液を所定の温度で保温しながら２４時間放置し、その後、更に１００枚の処理を行った。
【０２０４】
《裏面汚れ耐性の評価》
上記各現像処理で最後に処理した１００枚のうち、９１枚目から１００枚目の試料の裏面側（画像形成層を有する面とは反対側の面）について、異物等の付着状況を目視観察し、下記の基準に従って裏面汚れ耐性を評価した。なお、評価は、１０枚の評価試料の平均値とした。
【０２０５】
◎：裏面への汚れの付着が全く認められない
○：裏面にうっすらと汚れの付着は認められるが、実用上許容される品質である
△：裏面に汚れが認められ、実用上も美観を損ね、実用上問題となる品質である
×：裏面への汚れが明らかに認められ、実用に耐えない品質である
以上により得られた結果を、表５に示す。
【０２０６】
【表５】
2006267353.tif 000031
【０２０７】
表５に記載の結果より明らかな様に、本発明に係る一般式〔Ｉ〕で表される化合物を含む発色現像液で連続処理を行う際、更に本発明に係る一般式〔II〕〜〔Ｖ〕で表される化合物を共存させることにより、裏面汚れ耐性がより向上することが分かる。
【図面の簡単な説明】
【０２０８】
【図１】自動現像機とハロゲン化銀カラー写真感光材料への焼付機とが一体になったハロゲン化銀カラー写真感光材料用自動現像機の一例を示す全体構成図である。
【符号の説明】
【０２０９】
ＡＰ  ハロゲン化銀カラー写真感光材料用の自動現像機
Ｂ  写真焼付機
Ｃ  補充液部
Ｅ  露光部
ｐ  シート状のハロゲン化銀カラー写真感光材料
１Ａ  発色現像槽
１Ｂ  漂白定着槽
１Ｃ、１Ｄ、１Ｅ、１Ｆ  安定化槽（リンス槽）
２Ａ、２Ｂ、２Ｅ  溶解槽
２Ｃ、２Ｄ  循環槽
３Ａ、３Ｂ、３Ｅ  固体処理剤供給装置
４  補充水タンク
６  乾燥部
【図１】
2006267353.tif 000036